(57)【要約】【課題】カード挿入口が共通であっても挿入カードがコンタクトと接触せず、カードの挿抜が容易に行え、カードが傷付くこともない所謂マルチカードコネクタを提供する。【解決手段】カード挿入空間７に共通のカード挿入口６を通して長い第３のカード３は水平方向に挿入し第３のカード用の第３のコンタクト１３と接続し、短い第１のカード１は斜め下方向に挿入し挿入時の第３のカード底面より低位に設けた第１のカード用の第１のコンタクト１１と接続し、中長さの第２のカード２は斜め上方に挿入し挿入時の第３のカード底面より高位に設けた第２のカード用の第２のコンタクト１２と接続する。第２のカード挿入時に第１のコンタクト１１を押下げて第２のカード２との接触を回避する第１のコンタクト押圧部材１６と、第３のカード挿入時に第２のコンタクト１２を押下げて第３のカード３との接触を回避する第２のコンタクト押圧部材１７を設ける。【選択図】図２
2007134101.tif 000002
【特許請求の範囲】
【請求項１】
一端側に設けた共通のカード挿入口を通して第１のカードと、この第１のカードより長さが長く、横幅が狭く、厚さが厚い第２のカードと、この第２のカードより長さが長く、横幅が狭く、厚さが厚い第３のカードが挿入可能なカード挿入空間を設けたハウジングと、前記カード挿入口を通してカード挿入空間に挿入された第１のカードの底面の挿入端側に設けられる接触端子に自由端側に設けた接触部を接触させて電気的に接続するよう前記カード挿入空間のカード挿入口側に片持ち梁状に設けた第１のコンタクトと、前記カード挿入口を通してカード挿入空間に挿入された第２のカードの底面の挿入端側に設けられる接触端子に自由端側に設けた接触部を接触させて電気的に接続するよう前記カード挿入空間の第１のコンタクトより奥側に片持ち梁状に設けた第２のコンタクトと、前記カード挿入口を通してカード挿入空間に挿入された第３のカードの底面の挿入端側に設けられる接触端子に自由端側に設けた接触部を接触させて電気的に接続するよう前記カード挿入空間の第２のコンタクトより奥側に片持ち梁状に設けた第３のコンタクトと、第１のカードの両側端部を摺動自在に嵌合させて第１のカードをカード挿入口からカード挿入空間に斜め下方向に挿入案内するようカード挿入空間の両側壁に傾斜角を持たせて設けた第１のガイドと、第２のカードの表面の両側端部を摺接させて第２のカードをカード挿入口からカード挿入空間に斜め上方向に挿入案内するようカード挿入空間の両側壁に傾斜角を持たせて設けた第２のガイドと、第１のコンタクトの接触部を下面側から上面側へ貫通させる貫通孔を設けて一端側をカード挿入空間の両側壁に回転自在に軸支した第１のコンタクト押圧部材と、第２のコンタクトの接触部を下面側から上面側へ貫通させる貫通孔を設けて一端側をカード挿入空間の両側壁に回動自在に軸支した第２のコンタクト押圧部材とを備え、前記カード挿入口を通してカード挿入空間の天面に沿って水平方向にカード挿入空間に挿入する第３のカードの底面より低位に第１のコンタクトの接触部を設けると共に高位に第２のコンタクトの接触部を設け、第１のカードを前記カード挿入口を通してカード挿入空間に斜め下方向に挿入することにより、第１のカードが第１のコンタクト押圧部材に乗り上げ、第１のカードの底面で第１のコンタクト押圧部材を押し下げ、この第１のコンタクト押圧部材の押し下げに伴ってプリロードが掛けられた前記第１のコンタクトの接触部に第１のカードの接触端子が接触し、第２のカードを前記カード挿入口を通してカード挿入空間に斜め上方向に挿入することにより、第２のカードが第１のコンタクト押圧部材に乗り上げ、第２のカードの底面で第１のコンタクト押圧部材を押し下げ、この第１のコンタクト押圧部材の押し下げに伴って前記第１のコンタクトの接触部を第２のカードの底面より低位に押し下げた状態で、第２のカードが第２のコンタクト押圧部材に乗り上げ、第２のカードの底面で第２のコンタクト押圧部材を押し下げ、この第２のコンタクト押圧部材の押し下げに伴ってプリロードが掛けられた前記第２のコンタクトの接触部に第２のカードの接触端子が接触し、第３のカードを前記カード挿入口を通して水平方向にカード挿入空間に挿入することにより、第３のカードが第１のコンタクトの接触部及び第１のコンタクト押圧部材と接触しない高さ位置でこれら第１のコンタクトの接触部及び第１のコンタクト押圧部材を通過し、第３のカードが第２のコンタクト押圧部材に乗り上げ、第３のカードの底面で第２のコンタクト押圧部材を押し下げ、この第２のコンタクト押圧部材の押し下げに伴って前記第２のコンタクトの接触部を第３のカードの底面より低位に押し下げた状態で、前記第３のコンタクトの接触部に第３のカードの接触端子が接触するよう構成したことを特徴とするカードコネクタ。
【発明の詳細な説明】
【技術分野】
【０００１】
本発明はパソコン、プリンター等パソコン周辺機器、ＦＰＤ／ＤＶＤ等のＡＶ機器等の電子機器に内蔵のプリント配線基板にメモリーカードを電気的に接続するためのカードコネクタの中で、一つのコネクタで例えばｘＤピクチャーカード・メモリースティック・ＳＤメモリーカードやマルチメディアカード等の外形が相違する３種類のメモリーカードに対応可能な複合型のカードコネクタ、所謂マルチカードコネクタに関する。
【０００２】
この種カードコネクタではハウジングの一端側に設けられた共通のカード挿入口を通して各種カードをハウジング内のカード挿入空間に挿入するように構成することにより、２枚以上のカード同時挿入を防止するようになっている。この構成では中長さのカードや長いカードを挿入する場合、短いカード用のコンタクトや中長さのカード用のコンタクトと擦れて底面が磨耗することや、挿入抵抗が大きくなるという課題がある。
【０００３】
この課題は従来の長さが相違する２種類のメモリーカードに対応可能なカードコネクタで採用されている手段、例えば特許文献１に記載されているように長いカードを短いカード用のコンタクトと接触しない位置まで押し上げるか、特許文献２に記載されているように短いカード用のコンタクトを長いカードと接触しない位置まで押し下げるかの何れかの手段で解決することができる。
【特許文献１】特開２００３−３１７８６２号公報
【特許文献２】特開２００３−２８８９６２号公報
【発明の開示】
【発明が解決しようとする課題】
【０００４】
本発明が解決しようとする課題は３種類のメモリーカードに対応可能な所謂マルチカードコネクタの場合、前者の手段では長いカード挿入時には長いカードを短いカード用のコンタクトと接触しない位置まで押し上げた後、さらに中長さのカード用のコンタクトと接触しない位置まで押し上げる必要があるため、コネクタの高さが高くなり、後者の手段では短いカード用のコンタクトを挿入カードの種類に関係なく弾性変形させる必要があり、しかも変形量も大きいため、中長さのカード用のコンタクトや長いカード用のコンタクトに比べ短いカード用のコンタクトの寿命が著しく短くなると共に、短いカード用のコンタクトや中長さのカード用のコンタクトの弾性力が大きいほど高い接触信頼性を得られるが、その反面カード挿入抵抗が大きくなるため、短いカード用のコンタクトや中長さのカード用のコンタクトの接触信頼性の向上とカード挿入抵抗の軽減とを同時に達成し得ない点にある。
【課題を解決するための手段】
【０００５】
上記課題を解決するための本発明の請求項１に係る発明は一端側に設けた共通のカード挿入口を通して第１のカードと、この第１のカードより長さが長く、横幅が狭く、厚さが厚い第２のカードと、この第２のカードより長さが長く、横幅が狭く、厚さが厚い第３のカードが挿入可能なカード挿入空間を設けたハウジングと、前記カード挿入口を通してカード挿入空間に挿入された第１のカードの底面の挿入端側に設けられる接触端子に自由端側に設けた接触部を接触させて電気的に接続するよう前記カード挿入空間のカード挿入口側に片持ち梁状に設けた第１のコンタクトと、前記カード挿入口を通してカード挿入空間に挿入された第２のカードの底面の挿入端側に設けられる接触端子に自由端側に設けた接触部を接触させて電気的に接続するよう前記カード挿入空間の第１のコンタクトより奥側に片持ち梁状に設けた第２のコンタクトと、前記カード挿入口を通してカード挿入空間に挿入された第３のカードの底面の挿入端側に設けられる接触端子に自由端側に設けた接触部を接触させて電気的に接続するよう前記カード挿入空間の第２のコンタクトより奥側に片持ち梁状に設けた第３のコンタクトとを備え、外形が相違する３種類のメモリーカードに対応可能な複合型のカードコネクタを構成する。
【０００６】
上記構成に付加して第１のカードの両側端部を摺動自在に嵌合させて第１のカードをカード挿入口からカード挿入空間に斜め下方向に挿入案内するようカード挿入空間の両側壁に傾斜角を持たせて設けた第１のガイドと、第２のカードの表面の両側端部を摺接させて第２のカードをカード挿入口からカード挿入空間に斜め上方向に挿入案内するようカード挿入空間の両側壁に傾斜角を持たせて設けた第２のガイドと、第１のコンタクトの接触部を下面側から上面側へ貫通させる貫通孔を設けて一端側をカード挿入空間の両側壁に回動自在に軸支した第１のコンタクト押圧部材と、第２のコンタクトの接触部を下面側から上面側へ貫通させる貫通孔を設けて一端側をカード挿入空間の両側壁に回動自在に軸支した第２のコンタクト押圧部材とを備え、前記カード挿入口を通してカード挿入空間の天面に沿って水平方向にカード挿入空間に挿入する第３のカードの底面より低位に第１のコンタクトの接触部を設けると共に高位に第２のコンタクトの接触部を設け、第１のカードを前記カード挿入口を通してカード挿入空間に斜め下方向に挿入することにより、第１のカードが第１のコンタクト押圧部材に乗り上げ、第１のカードの底面で第１のコンタクト押圧部材を押し下げ、この第１のコンタクト押圧部材の押し下げに伴ってプリロードが掛けられた前記第１のコンタクトの接触部に第１のカードの接触端子が接触し、第２のカードを前記カード挿入口を通してカード挿入空間に斜め上方向に挿入することにより、第２のカードが第１のコンタクト押圧部材に乗り上げ、第２のカードの底面で第１のコンタクト押圧部材を押し下げ、この第１のコンタクト押圧部材の押し下げに伴って前記第１のコンタクトの接触部を第２のカードの底面より低位に押し下げた状態で、第２のカードが第２のコンタクト押圧部材に乗り上げ、第２のカードの底面で第２のコンタクト押圧部材を押し下げ、この第２のコンタクト押圧部材の押し下げに伴ってプリロードが掛けられた前記第２のコンタクトの接触部に第２のカードの接触端子が接触し、第３のカードを前記カード挿入口を通して水平方向にカード挿入空間に挿入することにより、第３のカードが第１のコンタクトの接触部及び第１のコンタクト押圧部材と接触しない高さ位置でこれら第１のコンタクトの接触部及び第１のコンタクト押圧部材を通過し、第３のカードが第２のコンタクト押圧部材に乗り上げ、第３のカードの底面で第２のコンタクト押圧部材を押し下げ、この第２のコンタクト押圧部材の押し下げに伴って前記第２のコンタクトの接触部を第３のカードの底面より低位に押し下げた状態で、前記第３のコンタクトの接触部に第３のカードの接触端子が接触するよう構成したものである。
【発明の効果】
【０００７】
本発明の請求項１に係る発明によれば外形が相違する３種類のメモリーカードに対応可能な所謂マルチカードコネクタを構成することができる。そして第１のカードをカード挿入口を通してカード挿入空間に斜め下方向に挿入し、カード挿入口を通してカード挿入空間の天面に沿って水平方向にカード挿入空間に挿入する第３のカードの底面より低位に設けた第１のコンタクトの接触部に第１のカードの接触端子を接触させて電気的に接続するので、第３のカードは第２のコンタクトとの接触を回避するだけで済み、しかも第３のカードは第２のコンタクトを第２のコンタクト押圧部材により押し下げて第２のコンタクトとの接触を回避する。また第２のカードを前記カード挿入口を通してカード挿入空間に斜め上方向に挿入し、カード挿入口を通してカード挿入空間の天面に沿って水平方向にカード挿入空間に挿入する第３のカードの底面より高位に設けた第２のコンタクトの接触部を第２のカードの接触端子に接触させて電気的に接続するので、第２のカードの底面はカード挿入口よりも高い位置で第１のコンタクトを通過し、しかも第１のコンタクトの接触部はカード挿入口を通してカード挿入空間の天面に沿って水平方向にカード挿入空間に挿入する第３のカードの底面より低位に設けているため、第２のカードが第１のコンタクトとの接触を回避すべく第１のコンタクトを第１のコンタクト押圧部材により押し下げる量は僅かで済む。これにより所謂マルチカードコネクタにおける第２のカードや第３のカードを共通のカード挿入口を通してカード挿入空間に挿入する場合の第１のコンタクトや第２のコンタクトと擦れて底面が磨耗することや、挿入抵抗が大きくなるという課題を、コネクタの高さが高くなるのを抑え、かつ第２のカード用の第２のコンタクトや第３のカード用の第３のコンタクトに比べ第１のカード用の第１のコンタクトの寿命が著しく短くなるのを抑えながら、解決することができる。
【０００８】
また第１のカードの接触端子は第１のコンタクト押圧部材によりプリロードが掛けられた第１のコンタクトの接触部をさらに押し下げて接触し、第２のカードの接触端子は第２のコンタクト押圧部材によりプリロードが掛けられた第２のコンタクトの接触部をさらに押し下げて接触する一方、第２のカードは第１のコンタクトを自由状態から第１のコンタクト押圧部材により押し下げて第１のコンタクトとの接触を回避し、第３のカードは第２のコンタクトを自由状態から第２のコンタクト押圧部材により押し下げて第２のコンタクトとの接触を回避するので、第１のカード用の第１のコンタクトや第２のカード用の第２のコンタクトの接触信頼性の向上と第２のカードや第３のカードの挿入抵抗の軽減とを同時に達成することができる。
【０００９】
以上から明らかなように本発明の請求項１に係る発明はカード挿入口が共通であっても第２のカードや第３のカードは第１のカード用の第１のコンタクトや第２のカード用の第２のコンタクトと接触せず、第２のカードや第３のカードの挿抜が容易に行えると共に、第１のコンタクトや第２のコンタクトにより第２のカードや第３のカードが傷付くこともない所謂マルチカードコネクタを提供することができる。
【発明を実施するための最良の形態】
【００１０】
以下本発明の実施の形態を図面に基づいて説明する。図１はカードコネクタの外観斜視図、図２はカードコネクタのカバーを取り外した状態の外観斜視図、図３はカードコネクタのカード挿入口を示す前面図（正面図）、図４はカードコネクタのカバーを取り外した状態の平面図、図５はカードコネクタの断面図、図６は第１のカードの挿入状態を示すカードコネクタのカバーを取り外した状態の平面図、図７は第１のカードの挿入状態を示すカードコネクタの断面図、図８は第２のカードの挿入状態を示すカードコネクタのカバーを取り外した状態の平面図、図９は第２のカードの挿入状態を示すカードコネクタの断面図、図１０は第３のカードの挿入状態を示すカードコネクタのカバーを取り外した状態の平面図、図１１は第３のカードの挿入状態を示すカードコネクタの断面図である。
【００１１】
このカードコネクタはパソコン、プリンター等パソコン周辺機器、ＦＰＤ／ＤＶＤ等のＡＶ機器等の電子機器に内蔵の図示しないプリント配線基板に実装され、この基板とメモリーカードを電気的に接続するもので、一つのコネクタで外形が相違する３種類のメモリーカード（図６，図７に示したｘＤピクチャーカード・図８，図９に示したＳＤメモリーカード・図１０，図１１に示したメモリースティック）に対応可能な複合型のカードコネクタ、所謂マルチカードコネクタである。なおマルチメディアカードはＳＤメモリーカードと外形が同一のため、このマルチメディアカードを含めば対応可能なメモリーカードは４種類になる。
【００１２】
ｘＤピクチャーカード、ＳＤメモリーカード、メモリースティックの外形（長さ・横幅・厚さ）はこの順で順次長さが長く、横幅が狭く、厚さが厚くなっており、ｘＤピクチャーカードが第１のカード１、ＳＤメモリーカードが第１のカード１より長さが長く、横幅が狭く、厚さが厚い第２のカード２、メモリースティックが第２のカード２より長さが長く、横幅が狭く、厚さが厚い第３のカード３になる。
【００１３】
図１〜図５及び図１０，図１１に示すようにカードコネクタは第３のカード３の左右側面及び挿入側端面の三側面に沿う周側壁４ａと、この周側壁４ａで囲われた空間の開放端側前部及び閉鎖端側後部にそれぞれ底を形成する前コンタクトベース４ｂ及び後コンタクトベース４ｃとを設けた樹脂製で絶縁性を有するボディ４に、矩形状の天板５ａの左右側縁及び後側縁に沿って左右側板５ｂ及び後側板５ｃを垂下した板金製で導電性を有するカバー５を上方から被着することにより前側面に第３のカード３の断面形状（横幅と厚さ）に対応した開口幅Ｗ３と開口高さＨ３を有するカード挿入口６を開口し（図３参照）、このカード挿入口６を通して第３のカード３がカバー５の天板５ａに沿って水平方向（基板と平行）に挿抜可能な、第３のカード３よりやや短い奥行きを有するカード挿入空間７を内側に設けた薄い矩形箱状のハウジング８を構成している。
【００１４】
また図１〜図５及び図８，図９に示すように前記カード挿入空間７の左右側壁となるボディ４の周側壁４ａの左右内側面にはこの前端から第２のカード２の左右側部を摺動自在に嵌合する第２の左右ガイド溝９を設け、この第２の左右ガイド溝９により前記カード挿入口６と、第２のカード２の長さよりやや短い奥行き分の前記カード挿入空間７とを、第２のカード２の断面形状（横幅と厚さ）に対応して拡張し、カード挿入口６における第２のカード２の断面形状（横幅と厚さ）に対応した横幅Ｗ２，高さＴ２の開口部分（図３参照）を通して第２のカード２がカード挿入空間７に挿抜可能になっている。
【００１５】
さらに図２〜図５及び図６，図７に示すように前記第２の左右ガイド溝９により拡張された前記カード挿入空間７の左右側壁となるボディ４の周側壁４ａの左右内側面にはこの前端から第１のカード１の左右側部を第２の左右ガイド溝９を介して摺動自在に嵌合する第１の左右ガイド溝１０を設け、この第１の左右ガイド溝１０及び前記第２の左右ガイド溝９により前記カード挿入口６と、第１のカード１の長さよりやや短い奥行き分の前記カード挿入空間７とを、第１のカード１の断面形状（横幅と厚さ）に対応して拡張し、カード挿入口６における第１のカード１の断面形状（横幅と厚さ）に対応した横幅Ｗ１，高さＴ１の開口部分（図３参照）を通して第１のカード１がカード挿入空間７に挿抜可能になっている。
【００１６】
以上の構成により前記ハウジング８はこの前側面に第１のカード１と第２のカード２と第３のカード３が挿抜可能な一つのカード挿入口６を開口し、この一つのカード挿入口６を通して第１のカード１と第２のカード２と第３のカード３が挿抜可能なカード挿入空間７を内側に設けている。このように共通のカード挿入口６を通して第１のカード１と第２のカード２と第３のカード３をハウジング８の内側のカード挿入空間７に挿入するように構成することにより、２枚以上のカード同時挿入を防止するようになっている。
【００１７】
前記カバー５はこの左右側板５ｂに開設した複数の係合孔５ｄにボディ４の周側壁４ａの左右外側面に突設した複数の係合爪４ｄが嵌り込むことによりボディ４に固定されている。前記ハウジング８の底面にはボディ４の底面に設けた複数の位置決め用のピン４ｅが突出している。このピン部４ｅはカードコネクタを基板に実装する際、基板に設けられた位置決め孔に嵌め込まれ、カードコネクタを基板との間で位置決めするものである。ハウジング８の四隅にはカバー５の左右側板５ｂに設けた半田付け用の脚部５ｅがハウジング８の底面と略面一に突出している。この脚部５ｅはカードコネクタを基板に表面実装することにより、基板のアース用ランドに半田付けされて固着され、電気的に接続される。これによりカバー５を通じて人からの静電気をアースに逃がし、基板に実装された各種電子部品等の静電破壊を防止するようになっている。
【００１８】
図２〜図５に示すようにカード挿入空間７には複数の第１のコンタクト１１と複数の第２のコンタクト１２と複数の第３のコンタクト１３とを設けている。これら各コンタクト１１，１２，１３はそれぞれ細幅の金属薄板（板バネ）からなり、第１のコンタクト１１は前部を前コンタクトベース４ｂに固定支持し、後部をカード挿入空間７のカード挿入口６側の底部に後上り傾斜状に立ち上げて、カード挿入空間７のカード挿入口６側の底部に片持ち梁状に並設し、前記カード挿入口６を通してカード挿入空間７に挿入された第１のカード１の底面の挿入端側に設けられる図示しない接触端子との接触部１１ａを自由端側となる後端側に設けている。第２コンタクト１２は後部を後コンタクトベース４ｃに固定支持し、前部をカード挿入空間７の第１のコンタクト１１より奥側の底部に前上がり傾斜状に立ち上げて、カード挿入空間７の第１のコンタクト１１より奥側の底部に片持ち梁状に並設し、前記カード挿入口６を通してカード挿入空間７に挿入された第２のカード２の底面の挿入端側に設けられる図示しない接触端子との接触部１２ａを自由端側となる前端側に設けている。第３のコンタクト１１は中間部に折り返し部を設け、折り返し部より一端側を前コンタクトベース４ｂに固定支持し、折り返し部より他端側の端部をカード挿入空間７の第２のコンタクト１２より奥側の底部に後上り傾斜状に立ち上げて、カード挿入空間７の第２のコンタクト１２より奥側の底部に片持ち梁状に並設し、前記カード挿入口６を通してカード挿入空間７に挿入された第３のカード１の底面の挿入端側に設けられる図示しない接触端子との接触部１２ａを自由端側となる折り返し部より他端側の端部に設けている。
【００１９】
また第１のコンタクト１１の固定端側となる前端側には前コンタクトベース４ｂの前端からハウジング８の底面と略面一に突出する半田付け用の脚部１１ｂを設けると共に、第２のコンタクト１２の固定端側となる後端側と第３のコンタクト１３の固定端側となる折り返し部より一端側の端部にはそれぞれ後コンタクトベース４ｃの後端からハウジング８の底面と略面一に突出する半田付け用の脚部１２ｂ，１３ｂを設けている。これら各脚部１１ｂ，１２ｂ，１３ｂはカードコネクタを基板に表面実装することにより、基板の所定のランドに半田付けされて固着され、電気的に接続される。これにより各コンタクト１１，１２，１３を基板に電気的に接続している。
【００２０】
ここで図５，図７，図１１に示すように前記第１のコンタクト１１の自由状態時の接触部１１ａは前記カード挿入口６を通してカード挿入空間７の天面となるカバー５の天板５ａに沿って水平方向に挿入する第３のカード３の底面より低位に設けるもので、第１のカード１をカード挿入口６からカード挿入空間７に斜め下方向に挿入案内するよう、第１のカード１の左右側部を第２の左右ガイド溝９を介して摺動自在に嵌合する前記第１の左右ガイド溝１０を、第１のカード１の左右側部の底面が摺接する第２の左右ガイド溝９の底面９ａと共に傾斜角θ１を持たせてなる第１のガイド１４をボディ４の周側壁４ａの左右内側面に設け、この傾斜角θ１を持たせた第１のガイド１４により第１のカード１を水平方向（基板と平行）ではなくカード挿入口６からカード挿入空間７に斜め下方向に挿入案内し、かつ第１のカード１を傾斜角θ１を持たせてカード挿入空間７に保持し、第１のカード１の接触端子を前記第１のコンタクト１１の接触部１１ａに接触させて電気的に接続するように構成している。
【００２１】
また図５，図７，図１１に示すように前記第２のコンタクト１２の自由状態時の接触部１２ａは前記カード挿入口６を通してカバー５の天板５ａに沿って水平方向に挿入する第３のカード３の底面より高位に設けるもので、第２のカード２をカード挿入口６からカード挿入空間７に斜め上方向に挿入案内するよう、第２のカード２の左右側部を摺動自在に嵌合する前記第２の左右ガイド溝９の第２のカード２の左右側部の天面が摺接する天面９ｂに傾斜角θ２を持たせてなる第２のガイド１５をボディ４の周側壁４ａの左右内側面に設け、この傾斜角θ２を持たせた第２のガイド１５により第２のカード２を水平方向（基板と平行）ではなくカード挿入口６からカード挿入空間７に斜め上方向に挿入案内し、かつ第２のカード２を傾斜角θ２を持たせてカード挿入空間７に保持し、第２のカード２の接触端子を前記第２のコンタクト１２の接触部１２ａに接触させて電気的に接続するように構成している。
【００２２】
図２〜図５に示すようにカード挿入空間７には第１のコンタクト押圧部材１６と第２のコンタクト押圧部材１７とを設けている。各コンタクト押圧部材１６，１７は樹脂製で絶縁性を有する横長な矩形板からなり、第１のコンタクト押圧部材１６は中間部に第１のコンタクト１１の接触部１１ａを下面側から上面側に貫通する複数の貫通孔１６ａを並設して、カード挿入空間７の第１のコンタクト１１の接触部１１ａより奥側に位置する第１のコンタクト押圧部材１６の後端側を回転軸１６ａを介して第１のコンタクト１１の接触部１１ａより低位でボディ４の周側壁４ａの左右内側面の回転自在に軸支し、カード挿入空間７の第１のコンタクト１１の接触部１１ａよりカード挿入口６側に位置する第１のコンタクト押圧部材１６の前端側上面を第１のコンタクト１１の接触部１１ａと略同じ高さに持ち上げ支持している。そして図７に示すように第１のカード１をカード挿入口６を通してカード挿入空間７に斜め下方向に挿入することにより、第１のカード１が第１のコンタクト押圧部材１６の前端側上面に第１のコンタクト１１の接触部１１ａより先に乗り上げ、第１のカード１の底面で第１のコンタクト押圧部材１６を押し下げ、この第１のコンタクト押圧部材１６の押し下げに伴って第１のコンタクト１１にプリロードを掛け、プリロードを掛けられた第１のコンタクト１１の接触部１１ａに第１のコンタクト１の接触端子を接触させるように構成している。また図９に示すように第２のカード２をカード挿入口６を通してカード挿入空間７に斜め上方向に挿入することにより、第２のカード２が第１のコンタクト押圧部材１６の前端側上面に第１のコンタクト１１の接触部１１ａより先に乗り上げ、第２のコンタクト２の底面で第１のコンタクト押圧部材１６を押し下げ、この第１のコンタクト押圧部材１６の押し下げに伴って第１のコンタクト１１の接触部１１ａを第２のコンタクト２の底面より低位に押し下げ、第２のカード２の底面と第１のコンタクト１１の接触部１１ａの接触を回避するように構成している。
【００２３】
第２のコンタクト押圧部材１７は中間部に第２のコンタクト１２の接触部１２ａを下面側から上面側に貫通する複数の貫通孔１７ａを並設して、カード挿入空間７の第１のコンタクト押圧部材１６の奥側で第２のコンタクト１２の接触部１２ａよりカード挿入口６側に位置する第２のコンタクト押圧部材１７の前端側を回転軸１７ａを介して第２のコンタクト１２の接触部１２ａより低位でボディ４の周側壁４ａの左右内側面の回転自在に軸支し、カード挿入空間７の第１のコンタクト１２の接触部１２ａの直前に位置する第２のコンタクト押圧部材１７の中間部上面を前記カード挿入口６を通してカード挿入空間７に斜め上方向に挿入するカード２の底面及び前記カード挿入口６を通してカバー５の天板５ａに沿って水平方向に挿入する第３のカード３の底面より高い高さに持ち上げ支持している。そして図９に示すように第２のカード２をカード挿入口６を通してカード挿入空間７に斜め上方向に挿入することにより、第２のカード２が第２のコンタクト１２の接触部１２ａの直前の第２のコンタクト押圧部材１７の中間部上面に乗り上げ、第２のカード２の底面で第２のコンタクト押圧部材１７を押し下げ、この第２のコンタクト押圧部材１７の押し下げに伴って第２のコンタクト１２にプリロードを掛け、プリロードを掛けられた第２のコンタクト１２の接触部１２ａに第２のカード２の接触端子を接触させるように構成している。また図１１に示すように第３のカード３をカード挿入口６を通してカバー５の天板５ａに沿って水平方向にカード挿入空間７に挿入することにより、第３のカード３が第２のコンタクト１２の接触部１２ａの直前の第２のコンタクト押圧部材１７の中間部上面に乗り上げ、第３のカード３の底面で第２のコンタクト押圧部材１７を押し下げ、この第２のコンタクト押圧部材１７の押し下げに伴って第２のコンタクト１２の接触部１２ａを第２のコンタクト押圧部材１７の貫通孔１７ａ内に完全に埋没させて第３のカード３の底面より低位に押し下げ、第３のカード３の底面と第２のコンタクト１２の接触部１２ａの接触を回避するように構成している。
【００２４】
第２のカード２が第１のコンタクト押圧部材１６及び第２のコンタクト押圧部材１７に乗り上げることにより、第２のカード２は第１のコンタクト押圧部材１６及び第２のコンタクト押圧部材１７を介して第１のコンタクト１１及び第２のコンタクト１２の弾性力により上方に付勢され、第２のカード２の左右側部の天面が第２のガイド１５に押し当てられる。これにより第２のカード２を傾斜角θ２を持たせた第２のガイド１５に沿ってカード挿入口６からカード挿入空間７に斜め上方向に挿入案内し、かつ第２のカード２を傾斜角θ２を持たせてカード挿入空間７に保持するようになっている。また第３のカード３が第２のコンタクト押圧部材１７に乗り上げることにより、第３のカード３は第２のコンタクト押圧部材１７を介して第２のコンタクト１２の弾性力により上方に付勢され、第３のカード３の天面がカバー５の天板５ａに押し当てられる。これにより第３のカード３をカバー５の天板５ａに沿って水平方向にカード挿入口６からカード挿入空間７に挿入案内し、かつ第３のカード３をカバー５の天板５ａに沿って水平にカード挿入空間７に保持するようになっている。
【００２５】
図２，図４，図５，図８に示すように前記ボディ４の周側壁４ａに第１の左ガイド溝１０より奥側の第２の左ガイド溝９に隣接してスイッチ収容部１８を設け、このスイッチ収容部１８に第２のカード２用のライトプロテクトスイッチ可動接片部材１９と、第２のカード２検出用のカード検出スイッチ可動接片部材２０と、これら各可動接片部材１９，２０に共通の固定接片部材２１を設け、ライトプロテクトスイッチ可動接片部材１９と固定接片部材２１とで第２のカード２用のライトプロテクトスイッチを構成し、カード検出スイッチ可動接片部材２０と固定接片部材２１とで第２のカード２の検出スイッチを構成している。各接片部材１９，２０，２１にはそれぞれ前記ボディ４の周側壁４ａからハウジング８の底面と略面一に突出する半田付け用の脚部１９ａ，２０ａ，２１ａを設けている。これら各脚部１９ａ，２０ａ，２１ａはカードコネクタを基板に表面実装することにより、基板の所定のランドに半田付けされて固着され、電気的に接続される。これにより各接片部材１９，２０，２１を基板に電気的に接続している。そして第２のカード２がカード挿入口６を通してカード挿入空間７に完全挿入された時、第２のカード２の挿入側端部の左角部によりカード検出スイッチ可動接片部材２０を押圧し、第２のカード２の検出スイッチを閉じ、このとき第２のカード２の左側面に設けられた図示しないライトプロテクト用スライドボタンがライトプロテクト位置に操作されていれば、このライトプロテクト用スライドボタンによりライトプロテクトスイッチ可動接片部材１９を押圧し、第２のカード２用のライトプロテクトスイッチを閉じるようになっている。
【００２６】
以上のようにカードコネクタは外形が相違する３種類のメモリーカード（第１のカード１，第２のカード２、第３のカード３）に対応可能な所謂マルチカードコネクタに構成されている。
【００２７】
第１のカード１をカード挿入口６における第１のカード１の断面形状に対応した横幅Ｗ１，高さＴ１の開口部分を通してカード挿入空間７に挿入すると、第１のカード１は図６，図７に示すように左右側部が傾斜角θ１を持たせた第１のガイド１４によりカード挿入口６からカード挿入空間７に斜め下方向に挿入案内されて、挿入側端部が第１の左右ガイド溝１０の閉鎖端面突き当たる完全挿入位置までカード挿入空間７に斜め下方向に挿入され、カード挿入口６を通してカバー５の天板５ａに沿って水平方向にカード挿入空間７に挿入する第３のカード３の底面より低位に設けた第１のコンタクト１１の接触部１１ａに第１のカード１の接触端子が接触して電気的に接続される。これにより基板と第１のカード１が第１のコンタクト１１を介して電気的に接続され、電子機器と第１のカード１との間で信号やデータの伝送を行える。カード挿入口６を通してカード挿入空間７に完全挿入された第１のカード１はカード挿入口６を通してハウジング８の前面側に突出している第１のカード１の端部を把持して引き抜くことによりカード挿入空間７からカード挿入口６を通して抜去ることができる。
【００２８】
第２のカード２をカード挿入口６における第２のカード２の断面形状に対応した横幅Ｗ２，高さＴ２の開口部分を通してカード挿入空間７に挿入すると、第２のカード２は図８，図９に示すように左右側部が傾斜角θ２を持たせた第２のガイド１５によりカード挿入口６からカード挿入空間７に斜め上方向に挿入案内されて、挿入側端部が第２の左右ガイド溝９の閉鎖端面突き当たる完全挿入位置までカード挿入空間７に斜め上方向に挿入され、カード挿入口６を通してカバー５の天板５ａに沿って水平方向にカード挿入空間７に挿入する第３のカード３の底面より高位に設けた第２のコンタクト１２の接触部１２ａに第２のカード２の接触端子が接触して電気的に接続される。これにより基板と第２のカード２が第２のコンタクト１２を介して電気的に接続され、電子機器と第２のカード２との間で信号やデータの伝送を行える。カード挿入口６を通してカード挿入空間７に完全挿入された第２のカード２はカード挿入口６を通してハウジング８の前面側に突出している第２のカード２の端部を把持して引き抜くことによりカード挿入空間７からカード挿入口６を通して抜去ることができる。
【００２９】
第３のカード３をカード挿入口６における第３のカード３の断面形状に対応した横幅Ｗ３，高さＴ３の開口部分を通してカード挿入空間７に挿入すると、第３のカード３は図１０，図１１に示すように天面がカバー５の天板５ａによりカード挿入口６からカード挿入空間７に水平方向に挿入案内されて、挿入側端部がカード挿入空間７の後側壁となるボディ４の周側壁４ａの後内側面に突き当たる完全挿入位置までカード挿入空間７に水平方向に挿入され、カード挿入空間７の最奥部に設けた第３のコンタクト１３の接触部１３ａに第３のカード３の接触端子が接触して電気的に接続される。これにより基板と第３のカード３が第３のコンタクト１３を介して電気的に接続され、電子機器と第３のカード３との間で信号やデータの伝送を行える。カード挿入口６を通してカード挿入空間７に完全挿入された第３のカード３はカード挿入口６を通してハウジング８の前面側に突出している第３のカード３の端部を把持して引き抜くことによりカード挿入空間７からカード挿入口６を通して抜去ることができる。
【００３０】
そして第１のカード１をカード挿入口６を通してカード挿入空間７に斜め下方向に挿入し、カード挿入口６を通してカード挿入空間７の天面に沿って水平方向にカード挿入空間７に挿入する第３のカード３の底面より低位に設けた第１のコンタクト１１の接触部１１ａに第１のカード１の接触端子を接触させて電気的に接続するので、第３のカード３は第２のコンタクト１２との接触を回避するだけで済み、しかも第３のカード３は第２のコンタクト１２を第２のコンタクト押圧部材１７により押し下げて第２のコンタクト１２との接触を回避する。また第２のカード２を前記カード挿入口６を通してカード挿入空間７に斜め上方向に挿入し、カード挿入口６を通してカード挿入空間７の天面に沿って水平方向にカード挿入空間７に挿入する第３のカード３の底面より高位に設けた第２のコンタクト１２の接触部１２ａを第２のカード２の接触端子に接触させて電気的に接続するので、第２のカード２の底面はカード挿入口６よりも高い位置で第１のコンタクト１１を通過し、しかも第１のコンタクト１１の接触部１１ａはカード挿入口６を通してカード挿入空間７の天面に沿って水平方向にカード挿入空間７に挿入する第３のカード３の底面より低位に設けているため、第２のカード２が第１のコンタクト１１との接触を回避すべく第１のコンタクト１１を第１のコンタクト押圧部材１６により押し下げる量は僅かで済む。これにより所謂マルチカードコネクタにおける第２のカード２や第３のカード３を共通のカード挿入口６を通してカード挿入空間７に挿入する場合の第１のコンタクト１１や第２のコンタクト１２と擦れて底面が磨耗することや、挿入抵抗が大きくなることを、コネクタの高さが高くなるのを抑え、かつ第２のカード２用の第２のコンタクト１２や第３のカード３用の第３のコンタクト１３に比べ第１のカード１用の第１のコンタクト１１の寿命が著しく短くなるのを抑えながら、防止することができる。
【００３１】
また第１のカード１の接触端子は第１のコンタクト押圧部材１６によりプリロードが掛けられた第１のコンタクト１１の接触部１１ａをさらに押し下げて接触し、第２のカード２の接触端子は第２のコンタクト押圧部材１７によりプリロードが掛けられた第２のコンタクト１２の接触部１２ａをさらに押し下げて接触する一方、第２のカード２は第１のコンタクト１１を自由状態から第１のコンタクト押圧部材１６により押し下げて第１のコンタクト１１との接触を回避し、第３のカード３は第２のコンタクト１２を自由状態から第２のコンタクト押圧部材１７により押し下げて第２のコンタクト１２との接触を回避するので、第１のカード１用の第１のコンタクト１１や第２のカード２用の第２のコンタクト１２の接触信頼性の向上と第２のカード２や第３のカード３の挿入抵抗の軽減とを同時に達成することができる。
【００３２】
従ってカード挿入口６が共通であっても第２のカード２や第３のカード３は第１のカード１用の第１のコンタクト１１や第２のカード２用の第２のコンタクト１２と接触せず、第２のカード２や第３のカード３の挿抜が容易に行えると共に、第１のコンタクト１１や第２のコンタクト１２により第２のカード２や第３のカード３が傷付くこともない。
【図面の簡単な説明】
【００３３】
【図１】本発明の一実施の形態であるカードコネクタの外観斜視図である。
【図２】同カードコネクタのカバーを取り外した状態の外観斜視図である。
【図３】同カードコネクタのカード挿入口を示す前面図（正面図）である。
【図４】同カードコネクタのカバーを取り外した状態の平面図である。
【図５】同カードコネクタの断面図である。
【図６】第１のカードの挿入状態を示す同カードコネクタのカバーを取り外した状態の平面図である。
【図７】第１のカードの挿入状態を示す同カードコネクタの要部断面図である。
【図８】第２のカードの挿入状態を示す同カードコネクタのカバーを取り外した状態の平面図である。
【図９】第２のカードの挿入状態を示す同カードコネクタの要部断面図である。
【図１０】第３のカードの挿入状態を示す同カードコネクタのカバーを取り外した状態の平面図である。
【図１１】第３のカードの挿入状態を示す同カードコネクタの断面図である。
【符号の説明】
【００３４】
１  第１のカード
２  第２のカード
３  第３のカード
４  ボディ
５  カバー
６  カード挿入口
７  カード挿入空間
８  ハウジング
９  第２のガイド溝
１０  第１のガイド溝
１１  第１のコンタクト
１１ａ  接触部
１２  第２のコンタクト
１２ａ  接触部
１３  第３のコンタクト
１４  第１のガイド
１５  第２のガイド
１６  第１のコンタクト押圧部材
１６ａ  貫通孔
１６ｂ  回転軸
１７  第２のコンタクト押圧部材
１７ａ  貫通孔
１７ｂ  回転軸
θ１，θ２  傾斜角
【図１】
2007134101.tif 000003
【図２】
2007134101.tif 000004
【図３】
2007134101.tif 000005
【図４】
2007134101.tif 000006
【図５】
2007134101.tif 000007
【図６】
2007134101.tif 000008
【図７】
2007134101.tif 000009
【図８】
2007134101.tif 000010
【図９】
2007134101.tif 000011
【図１０】
2007134101.tif 000012
【図１１】
2007134101.tif 000013